(57)【要約】【課題】使用者の体形や好みに応じて、マッサージ部を好適な場所に配設することができる椅子型マッサージ機を提供する。【解決手段】座部１と背もたれ部３とを有しており、この背もたれ部３に第１のマッサージ部が設けられた椅子型マッサージ機Ｍ。第２のマッサージ部を備えており、前記座部１又は背もたれ部３に対する位置調節可能なパッド部１０ａを有している。  【選択図】      図１
2008206678.tif 000002
【特許請求の範囲】
【請求項１】
座部と背もたれ部とを有しており、この背もたれ部に第１のマッサージ部が設けられた椅子型マッサージ機であって、
第２のマッサージ部を備えており、且つ前記座部又は背もたれ部に対する位置調節が可能なパッド部を有することを特徴とする椅子型マッサージ機。
【請求項２】
前記パッド部が、前記背もたれ部に着脱自在に設けられる背パッドに含まれており、且つ当該背パッドにおけるパッド部以外の部位に着脱自在に設けられている請求項１に記載の椅子型マッサージ機。
【請求項３】
前記背パッドが、背もたれ部に着脱自在に取り付けられる中央パッド部と、この中央パッド部の両側に配設される一対の脇パッド部とを備えており、各脇パッド部が前記パッド部を構成している請求項２に記載の椅子型マッサージ機。
【請求項４】
前記各脇パッド部が、幅方向に位置調節可能なように、幅方向における複数の位置で前記中央パッドに着脱自在である請求項３に記載の椅子型マッサージ機。
【請求項５】
前記各脇パッド部の中央パッドへの取付部が、当該中央パッドの裏側に設けられている請求項３又は４に記載の椅子型マッサージ機。  
【請求項６】
前記パッド部に設けられた第２のマッサージ部が、膨張収縮可能なエアセルからなり、
このエアセルが、椅子型マッサージ機の前後方向に沿って重ねて配設された上側エアセル及び下側エアセルを含んでおり、
前記上側エアセルが、前記パッド部における、被施療者の背幅方向外側側縁を回動基点として前方に膨張し、且つ、前記下側エアセルが、前記パッド部における、被施療者の背幅方向略中央を回動基点として後方に膨張し得るように構成されている請求項３に記載の椅子型マッサージ機。  
【請求項７】
座部と背もたれ部とを有しており、この背もたれ部に第１のマッサージ部が設けられた椅子型マッサージ機であって、
第２のマッサージ部を備えたパッド部が、前記座部又は背もたれ部に着脱自在に設けられていることを特徴とする椅子型マッサージ機。
【請求項８】
座部と背もたれ部とを有しており、この背もたれ部に第１のマッサージ部が設けられた椅子型マッサージ機であって、
前記背もたれ部に背パッドが着脱自在に設けられるとともに、当該背パッドに、第２のマッサージ部を備えたパッド部が着脱自在に設けられていることを特徴とする椅子型マッサージ機。
【発明の詳細な説明】
【技術分野】
【０００１】
本発明はマッサージ機に関する。
【背景技術】
【０００２】
座部と背もたれ部を備えており、この背もたれ部に被施療者（使用者）の背中や肩などをマッサージするマッサージ部が内蔵された椅子型のマッサージ機が種々提案されている（例えば、特許文献１参照）。この種のマッサージ機において、マッサージ部は、半球型やローラ型などの形状をした揉み玉を備えており、電動モータや流体圧シリンダなどを駆動源とする機械駆動、又はエアセルによる膨張及び収縮を駆動源とするエア駆動によって、前記揉み玉に上下方向及び／又は左右方向のすりこぎ運動をさせたり、前後方向の進退運動をさせたり、さらにはバイブレーションを起こさせたりしている。
【０００３】
【特許文献１】特開２０００−３５０７５８号公報
【発明の開示】
【発明が解決しようとする課題】
【０００４】
ところで、前記マッサージ部は、通常、背もたれ部の背幅方向（左右方向）中央において上下動可能に配設されており、ある程度背幅方向に沿って揉み玉が移動可能にされているものの、被施療者の体の側部付近（例えば、わき腹付近）をマッサージすることが難しかった。
【０００５】
そこで、前記マッサージ部とは別の第２のマッサージ部を、被施療者の体の側部付近に対応する背もたれ部又は座部に設けることが考えられるが、被施療者には、やせた人もいれば、太った人もおり、また小柄な人もいれば、大柄な人もおり、様々な被施療者に対して効果的なマッサージを行うことができる前記第２のマッサージ部の取付位置を設定するのは困難である。
【０００６】
本発明は、このような事情に鑑みてなされたものであり、被施療者の体形や好みに応じて、マッサージ部を好適な場所に配設することができる椅子型マッサージ機を提供することを目的としている。
【課題を解決するための手段】
【０００７】
本発明の第１の観点に係る椅子型マッサージ機は、座部と背もたれ部とを有しており、この背もたれ部に第１のマッサージ部が設けられた椅子型マッサージ機であって、
第２のマッサージ部を備えており、且つ前記座部又は背もたれ部に対する位置調節が可能なパッド部を有することを特徴としている。
【０００８】
本発明の第１の観点に係る椅子型マッサージ機は、第２のマッサージ部を備えたパッド部を有しており、このパッド部は、座部又は背もたれ部に対する位置を調節することができるので、当該パッド部を被施療者の体形や体格（やせている又は太っている、背が高い又は低いなど）、又は好みに合わせて好適な位置に配設することができる。これにより、前記第２のマッサージ部によるマッサージ効果を向上させることができる。
【０００９】
前記パッド部が、前記背もたれ部に着脱自在に設けられる背パッドに含まれており、且つ当該背パッドにおけるパッド部以外の部位に着脱自在に設けられているのが好ましい。この場合、背パッドにおけるパッド部の取付位置を変えることで、第２のマッサージ部を備えた当該パッド部を所望の位置に配設することができる。
【００１０】
前記背パッドが、背もたれ部に着脱自在に取り付けられる中央パッド部と、この中央パッド部の両側に配設される一対の脇パッド部とを備えており、各脇パッド部が前記パッド部を構成しているのが好ましい。この場合、被施療者の側面付近に位置する脇パッド部の位置を変えることができ、太っている被施療者及びやせている被施療者の双方に対して、体の側方の所望箇所をマッサージすることができる。
【００１１】
前記各脇パッド部が、幅方向に位置調節可能なように、幅方向における複数の位置で前記中央パッドに着脱自在であるのが好ましい。この場合、被施療者の側面付近に位置する脇パッド部の幅方向の位置を変えることができ、太っている被施療者及びやせている被施療者の双方に対して、体の側方の所望箇所をマッサージすることができる。
【００１２】
前記各脇パッド部の中央パッドへの取付部が、当該中央パッドの裏側に設けられているのが好ましい。この場合、使用時に前記取付部が見えないので、椅子型マッサージ機の外観を向上させることができる。また、着座時に前記取付部が被施療者の背中にあたり、当該被施療者に違和感を与えるのを防止することができる。  
【００１３】
前記パッド部に設けられた第２のマッサージ部が、膨張収縮可能なエアセルからなり、
このエアセルが、椅子型マッサージ機の前後方向に沿って重ねて配設された上側エアセル及び下側エアセルを含んでおり、
前記上側エアセルが、前記パッド部における、被施療者の背幅方向外側側縁を回動基点として前方に膨張し、且つ、前記下側エアセルが、前記パッド部における、被施療者の背幅方向略中央を回動基点として後方に膨張し得るように構成されているのが好ましい。この場合、下側エアセルを膨張させることで、上側エアセルを被施療者側に向けることができる。その結果、前方に膨張する上側エアセルによって被施療者を持ち上げて、左右に捻る方向へ力を加えることができる。そして、左右のエアセルを交互に膨張させることで、人体の右側及び左側を交互に持ち上げて、人体を左右方向に捻るストレッチ効果を得ることができる。  
【００１４】
また、本発明の第２の観点に係る椅子型マッサージ機は、座部と背もたれ部とを有しており、この背もたれ部に第１のマッサージ部が設けられた椅子型マッサージ機であって、
第２のマッサージ部を備えたパッド部が、前記座部又は背もたれ部に着脱自在に設けられていることを特徴としている。
【００１５】
本発明の第２の観点に係る椅子型マッサージ機では、第２のマッサージ部を備えたパッド部が座部又は背もたれ部に着脱自在に設けられており、例えば、大きさや形状の異なる複数のパッド部を用意しておき、被施療者の体形や体格（やせている又は太っている、背が高い又は低いなど）、又は好みに合わせて適当なパッド部を配設することができる。これにより、前記第２のマッサージ部によるマッサージ効果を向上させることができる。
【００１６】
さらに、本発明の第３の観点に係る椅子型マッサージ機は、座部と背もたれ部とを有しており、この背もたれ部に第１のマッサージ部が設けられた椅子型マッサージ機であって、
前記背もたれ部に背パッドが着脱自在に設けられるとともに、当該背パッドに、第２のマッサージ部を備えたパッド部が着脱自在に設けられていることを特徴としている。
【００１７】
本発明の第３の観点に係る椅子型マッサージ機では、第２のマッサージ部を備えたパッド部が背パッドに着脱自在に設けられており、例えば、大きさや形状の異なる複数のパッド部を用意しておき、被施療者の体形や体格（やせている又は太っている、背が高い又は低いなど）、又は好みに合わせて適当なパッド部を配設することができる。これにより、前記第２のマッサージ部によるマッサージ効果を向上させることができる。
【発明の効果】
【００１８】
本発明の椅子型マッサージ機によれば、被施療者の体形や好みに応じて、マッサージ部を好適な場所に配設することができる。
【発明を実施するための最良の形態】
【００１９】
以下、添付図面を参照しつつ、本発明の椅子型マッサージ機（以下、単に「マッサージ機」ともいう）の実施の形態を詳細に説明する。
図１は、本発明の一実施の形態に係るマッサージ機Ｍの斜視説明図であり、このマッサージ機Ｍは、座部１と、脚載置部（フットレスト）２と、背もたれ部３と、前記座部１の左右両側の肘掛け部４とを備えている。前記脚載置部２は、座部１の前部において水平方向の軸廻りに回動可能に取り付けられており、昇降機構（図示せず）によって、図１に示される降下状態から前方へ突出した上昇状態へ動かすことができる。また、前記背もたれ部３は、座部１の後部において水平方向の軸廻りに回動可能に取り付けられており、リクライニング機構（図示せず）によって、図１に示される起立状態から後方へ倒れたリクライニング状態へ動かすことができる。
【００２０】
前記背もたれ部３の内部には、マッサージを施すための揉み玉５を備えた、第１のマッサージ部であるマッサージユニット６が配設されている。このマッサージユニット６は、背もたれ部３の内部に設けられた上下方向にまっすぐな左右一対のガイドレール（図示せず）に沿って昇降可能とされており、駆動機構（図示せず）によってマッサージユニット６は背もたれ部３内を上下方向に移動することができる。なお、本明細書において、前記脊もたれ部３の幅方向又は被施療者の背幅方向を「左右方向」、高さ方向を「上下方向」、奥行き方向を「前後方向」ともいう。
【００２１】
前記マッサージユニット６は、被施療者に対してマッサージを施すための施療具としての揉み玉５と、この揉み玉５に揉みと叩きのマッサージ動作をさせることができるマッサージ機構（図示せず）を備えている。このマッサージ機構は、図示していないが、揉み動作用として、モータと、このモータによって前記揉み玉５に揉み動作をさせる揉み動作機構部とを有しており、一方、叩き動作用として、モータと、このモータによって揉み玉５に叩き動作をさせる叩き動作機構部とを有している。揉み動作機構部は揉み玉５を左右方向に周期的に動作させることによって揉み動作させ、叩き動作機構部は揉み玉５を前後方向に周期的に動作させることによって叩き動作させる。
【００２２】
さらに、マッサージ機Ｍには、施療具として、エアの吸排気によって膨張収縮するエアセル７、８、９が設けられている。エアセル７は脚載置部２内に設けられ、エアセル８は座部１内に設けられ、またエアセル９は後述する背パッド内に設けられている。これらエアセル７、８、９は、座部１の下方に配設されたエアポンプを有するエアユニット（図示せず）に接続されており、エアポンプによるエアセル７、８、９の膨張動作によって被施療者に対してマッサージを施すことができる。なお、座部１、脚載置部２及び背もたれ部３に施療具としてのバイブレータ機構を配設し、振動によるマッサージを被施療者に施すこともできる。
【００２３】
前記背もたれ部３には、クッション性を有する背パッド１０が着脱自在に設けられており、この背パッド１０は、背もたれ部３に着脱自在に取り付けられる略Ｔ字状の中央パッド部１０ａと、この中央パッド部１０ａの両側に配設される一対の矩形状の脇パッド部１０ｂとからなっている。前記中央パッド部１０ａ及び一対の脇パッド部１０ｂからなる背パッド１０は、全体として略矩形状を呈している。
【００２４】
中央パッド部１０ａの背面（裏側）の上部には、図３に示されるように、面ファスナー１１ａを備えた装着片１１が縫合されており、この装着片１１の面ファスナー１１ａを背もたれ部３の背面上部付近に設けられた対応する面ファスナー１１ｂと接合させることにより、背パッド１０を背もたれ部３に装着することができる（図６参照）。一方、脇パッド部１０ｂは、図３に示されるように、当該脇パッド部１０ｂの側縁に設けられたファスナー１５及び中央パッド部１０ａの垂下部１０ａ１背面の両側縁付近に設けられたファスナー１２によって、中央パッド部１０ａに着脱自在に取り付けられている。また、脇パッド部１０ｂの上縁は、当該上縁付近に設けられた面ファスナー１３ａと、中央パッド部１０ａの張出部１０ａ２背面の下縁付近に設けられた面ファスナー１３ｂとを接合させることにより、中央パッド部１０ａに取り付けられている。
【００２５】
前記背パッド１０は、拭き掃除を含む清掃作業を容易にするとともに、被施療者が座部１に座ったときに前記揉み玉５が当該被施療者の背中に強くあたって不快感を与えるのを防ぐために設けられている。背パッド１０の汚れが目立つようになると、この背パッド１０を背もたれ部３から取り外して、表面を拭くなどして清掃し、再度背もたれ部３に取り付けることで、簡単にマッサージ機Ｍをきれいにすることができる。そして、背パッド１０が擦り切れたり、傷ついたりしたときは、当該背パッド１０を新しいものと交換することができる。
【００２６】
本実施の形態では、中央パッド部１０ａの垂下部１０ａ１背面の両側縁付近に３本のファスナー１２ａ、１２ｂ、１２ｃが、背パッド１０の略幅方向に沿って等間隔で設けられている。すなわち、脇パッド部１０ｂは、幅方向における３つの位置で中央パッド部１０ａに着脱自在である（図２参照）。そして、外側のファスナー１２ａを用いることで脇パッド部１０ｂを幅方向外側に配置させることができ、また内側のファスナー１２ｃを用いることで脇パッド部１０ｂを幅方向内側に配置させることができる。こうして、被施療者の側面付近に位置する脇パッド部１０ｂの幅方向の位置を変えることができ、太っている被施療者及びやせている被施療者の双方に対して、体の側方の所望箇所をマッサージすることができる。
【００２７】
前記ファスナーを用いた脇パッド部１０ｂの中央パッド部１０ａへの取付部は、当該中央パッド部１０ａの背面（裏側）に設けられているので、マッサージ機Ｍの使用時に前記取付部が外部から見えることがない。その結果、マッサージ機Ｍの外観を向上させることができる。また、着座時に前記取付部が被施療者の背中にあたり、当該被施療者に違和感を与えるのを防止することができる。なお、前記取付部は、中央パッド部１０ａの垂下部１０ａ１背面に設けられた一対のカバー１４（図３参照）によって覆うことができるようになっている。
【００２８】
前記ファスナー１２の本数は、本発明において特に限定されるものではなく、２本であってもよいし、４本以上であてもよい。また、脇パッド部１０ｂを中央パッド部１０ａに着脱自在に取り付ける手段として、前記ファスナー１２以外に、例えば面ファスナー、ボタン、フックなど他の手段を採用することができる。ファスナー１２に代えて、例えば面ファスナーを用いると、脇パッド部１０ｂの幅方向だけでなく上下方向の位置も変更することが可能となる。
【００２９】
前記脇パッド部１０ｂ内には、図４〜５に示されるように、膨張収縮可能なエアセル２０が内蔵されている。座部１の下方に配設されたエアポンプ（図示せず）からのエアが空気管２３を介してエアセル２０に供給され、またこの空気管２３を介してエアセル２０内のエアが排気される。空気管２３の端部にはコネクタ２３ａが接続されており、このコネクタ２３ａは、座部１と背もたれ部３との間の隙間から、当該座部１の下方に配設されたエアポンプに付設された電磁弁（図示せず）に接続される。
【００３０】
エアセル２０は、マッサージ機Ｍの前後方向に沿って重ねて配設された上側エアセル２１及び下側エアセル２２を含んでいる。このうち、上側エアセル２１は蛇腹状のエアセルであり、被施療者の背幅方向内側側縁を回動基点として前方に膨張し得るように構成されており、一方、下側エアセル２２は面状のエアセルであり、前方に膨張し得るように構成されている。換言すれば、上側エアセル２１は被施療者を挟むように扇状に膨張することができ、下側エアセル２２は人体面に対して垂直に押圧することができる。
【００３１】
前記上側エアセル２１は２枚のウレタン製シート２４により挟持されており、下側エアセル２２は２枚のチップウレタン製シート２５により挟持されている。これにより、被施療者が感じる、エアセルによる被押圧感を柔らかいものにすることができる。また、中央パッド部１０ａ内には、図５に示されるように、チップウレタン製シート２６が配設されており、このチップウレタン製シート２６はポリエステルからなる樹脂綿２７で覆われている。かかる内部構造を有する中央パッド部１０ａを介して、揉み玉５によるマッサージが被施療者に施される。なお、樹脂綿２７で覆われていることから、中央パッド部１０ａの方が脇パッド部１０ｂよりもクッション性に優れており、柔らかくなっている。
【００３２】
図７は本発明の他の実施の形態に係るマッサージ機における背パッドを模式的に示している。この背パッド３０も、前記実施の形態と同様に、背もたれ部３３に着脱自在に取り付けられる中央パッド部３０ａと、この中央パッド部３０ａの両側に配設される一対の脇パッド部３０ｂとを備えている。各脇パッド部３０ｂ内には、膨張収縮可能なエアセル４０が内蔵されており、このエアセル４０は、マッサージ機の前後方向に沿って重ねて配設された上側エアセル４１及び下側エアセル４２を含んでいる。両エアセル４１、４２間にはチップウレタン製シート２５が配設されている。このうち、上側エアセル４１は、前記脇パッド部３０ｂにおける、被施療者の背幅方向外側側縁を回動基点として前方に扇状に膨張し、一方、下側エアセル４２は、前記脇パッド部３０ｂにおける、被施療者の背幅方向略中央を回動基点として後方に扇状に膨張し得るように構成されている。この場合、下側エアセル４２を膨張させることで、上側エアセル４１を被施療者側に向けることができる。その結果、前方に膨張する上側エアセル４１によって被施療者を持ち上げて、左右に捻る方向へ力を加えることができる（図７（ｂ）参照）。前記のようなエアセルの配置であれば、背幅方向略中央に第１のマッサージ部が配備されているため、第２のマッサージ部を備えた脇パッド３０ｂを互いに左右方向外側に離れて配置せざるを得ない場合でも、確実に被施療者を持ち上げて、左右方向に捻ることが可能である。また、やせた被施療者でも確実に持ち上げることができる。そして、左右のエアセルを交互に膨張させることで、人体の右側及び左側を交互に持ち上げて、人体を左右方向に捻るストレッチ効果を得ることができる。
【００３３】
なお、脇パッド部内に配設される第２のマッサージ部として、前記エアセルに代えて振動動作を与えるバイブレータを用いることもでき、この場合、当該バイブレータによって被施療者の体の側部に振動を与えるマッサージを行うことができる。
【００３４】
また、前述した実施の形態では、中央パッドに対する脇パッドの取付位置を複数設けることにより、当該脇パッド内の第２のマッサージ部の位置を調整可能にしているが、大きさや形状の異なる複数の脇パッドを用意しておくことで、前記取付位置を１箇所とすることができる。この場合、被施療者の体形や体格（やせている又は太っている、背が高い又は低いなど）、又は好みに合わせて適当な脇パッドを選択して取り付けることにより、前記第２のマッサージ部を所望位置に配置することができ、当該第２のマッサージ部によるマッサージ効果を向上させることができる。
【００３５】
また、以上の説明では、第２のマッサージ部を備えたパッド部が、背パッドにおける脇パッドからなるものとしているが、本発明は、これに限定されるものではなく、前記パッド部をマッサージ機の座部又は背もたれ部に直接着脱自在に設ける構成とすることができる。この場合、座部又は背もたれ部と、パッド部の両方に、前述したファスナーや面ファスナーなどの取付手段が設けられ、パッド部は前記座部又は背もたれ部に着脱自在に設けられる。この実施の形態においても、前記取付箇所を複数設けることにより、座部又は背もたれ部におけるパッド部の位置を調整可能とすることができる。また、取付箇所を１箇所とすることもでき、この場合、大きさや形状の異なる複数のパッド部を用意しておいて、適当なパッド部を座部又は背もたれ部に取付けることで、パッド部内に配設されている第２のマッサージ部の位置を変えることが可能となる。
【００３６】
さらに、第２のマッサージ部を内蔵するパッド部は、座部及び背もたれ部の一方だけでなく、両方に着脱自在に設けることもできる。
【図面の簡単な説明】
【００３７】
【図１】本発明のマッサージ機の一実施の形態の斜視説明図である。
【図２】図１に示されるマッサージ機における背パッドの正面図である。
【図３】図１に示されるマッサージ機における背パッドの背面図である。
【図４】図２のＩＶ−ＩＶ線断面図である。
【図５】図２のＶ−Ｖ線断面図である。
【図６】図１に示されるマッサージ機における背もたれ部の上部を後方から見た斜視図である。
【図７】本発明のマッサージ機の他の実施の形態における背パッドを模式的に示す図である。
【符号の説明】
【００３８】
１      座部
２      脚載置部
３      背もたれ部
４      肘掛け部
５      揉み玉
６      マッサージユニット（第１のマッサージ部）
７、８
９    エアセル（第２のマッサージ部）
１０      背パッド
１０ａ    中央パッド
１０ｂ    脇パッド
１１      装着片
１１ａ    面ファスナー
１１ｂ    面ファスナー
１２      ファスナー
２０      エアセル
２１      上側エアセル
２２      下側エアセル
２３      空気管
２４      ウレタン製シート
２５      チップウレタン製シート
２６      チップウレタン製シート
２７      樹脂綿
３０      背パッド
３０ａ    中央パッド
３０ｂ    脇パッド
３３      背もたれ部
４０      エアセル
４１      上側エアセル
４２      下側エアセル
【図１】
2008206678.tif 000003
【図２】
2008206678.tif 000004
【図３】
2008206678.tif 000005
【図４】
2008206678.tif 000006
【図５】
2008206678.tif 000007
【図６】
2008206678.tif 000008
【図７】
2008206678.tif 000009